(57)【要約】      （修正有）【課題】構造の簡単化および生産コスト軽減の観点で装飾用光源と照明用光源の機能を合せ持つ自動車の内側ドア敷居用発光装置を提供する。【解決手段】自動車の内側ドア敷居用発光装置は、透光カバー１０１とランプカバー１０２とを有する内側ドア敷居本体１０と、内側ドア敷居本体内に設けられる少なくとも１つの導光棒２０と、発光部材３０とを備える。前記導光棒は透光カバーを通過する位置に設けられ、かつ第１端部２０１と第２端部２０２とを有し、第１端部はランプカバーに応じる位置に固定される。前記発光部材は、生じる光源を前記導光棒の第２端部２０２の端面に照射する位置に設けられることにより、前記導光棒を自己発光させるとともに前記透光カバーにより装飾用光源を照射させると同時に、前記導光棒の第１端部の端面を通じてランプカバーに照明用光源を照射させることができる。【選択図】図２
0003179311.tif 000002
【実用新案登録請求の範囲】
【請求項１】
自動車の内側ドア敷居用発光装置であって、
透光カバーとランプカバーとを有する内側ドア敷居本体と、
前記透光カバーを通過する位置に設けられ、前記ランプカバーに応じる位置に固定される第１端部と第２端部とを有する少なくとも１つの導光棒と、
生じる光源を前記導光棒の第２端部の端面に照射して、前記導光棒を自己発光させるとともに前記透光カバーにより可視光を放出させ、及び第１端部の端面を通じて前記ランプカバーに光源を照射する発光素子と、を含むことを特徴とする自動車の内側ドア敷居用発光装置。
【請求項２】
前記導光棒は、折曲げ可能な棒状物であることを特徴とする請求項１に記載の自動車の内側ドア敷居用発光装置。
【請求項３】
前記導光棒は、固定形状を有する棒状物であることを特徴とする請求項１に記載の自動車の内側ドア敷居用発光装置。
【請求項４】
前記発光素子は、スリーブジョイントにより前記導光棒の第２端部に連結されることを特徴とする請求項１に記載の自動車の内側ドア敷居用発光装置。
【請求項５】
前記導光棒の第２端部には散光体を内蔵していることを特徴とする請求項１に記載の自動車の内側ドア敷居用発光装置。
【請求項６】
前記発光素子は、発光ダイオードまたはランプであることを特徴とする請求項１に記載の自動車の内側ドア敷居用発光装置。
【考案の詳細な説明】
【技術分野】
【０００１】
本考案は発光装置に関し、特に自動車の内側ドア敷居に適用され、且つ装飾用光源および照明用光源兼用の発光装置を提供する。
【背景技術】
【０００２】
既存製品および多くの先行技術において、発光機能を有する自動車部品が多く知られている。自動車に適用される発光装置に求められる機能によって、その発光装置は装飾用光源と照明用光源を含む二種類に区分されており、多くの装飾用光源は車室内の隠し場所に設置され、主に車室内の意匠性の向上を図らせており、照明用光源は車室内で読書できる読書照明および車室内の環境照明に適応する各箇所に取り付けられている。
【０００３】
しかしながら、既存の車内の装飾用光源と照明用光源は二つ独立した発光装置から用いられ、構造の簡単化および製造における複雑性と生産コストの軽減のため、装飾用光源と照明用光源を同時に持つ単一発光装置の提供が必要となる。
【考案の概要】
【考案が解決しようとする課題】
【０００４】
本考案は従来技術の欠点を克服するため、自動車ドアの内側ドア敷居に適用され、かつ車両室内に装飾用光源と照明用光源を同時に提供することができる発光装置を公開する。より具体的にいうと、該発光装置は、装飾用光源を提供して車室内のデザイン性を向上させると同時に、車室内の床面を照明する照明用光源を提供する。
【課題を解決するための手段】
【０００５】
上記目的を達成するため、本考案の自動車の内側ドア敷居用発光装置は、
透光カバーとランプカバーとを有する内側ドア敷居本体と、
前記透光カバーを通過する位置内に設けられ、前記ランプカバーに応じる位置に固定される第１端部と第２端部とを有する少なくとも１つの導光棒と、
生じる光源を前記導光棒の第２端部の端面に照射し、前記導光棒を自己発光させるとともに前記透光カバーを介して可視光を放出させ、および第１端部の端面を通じて前記ランプカバーに向かって光源を照射させる発光素子と、を備える。
【０００６】
上記構成によって、前記内側ドア敷居本体は、導光棒により透光カバーとランプカバーとを介してそれぞれ装飾用光源と照明用光源を提供する。
前記導光棒は、折曲げ可能な棒状物、または固定形状を有する棒状物である。
前記発光素子は、スリーブジョイントにより前記導光棒の第２端部に連結される。
前記導光棒の第２端部には、散光体が内蔵されている。
前記発光素子は、発光ダイオード(LED)またはランプであってもよい。
【図面の簡単な説明】
【０００７】
【図１】図１は本考案の自動車の内側ドア敷居用発光装置の立体図である。
【図２】図２は本考案の自動車の内側ドア敷居用発光装置の立体分解図である。
【図３】図３は本考案の自動車の内側ドア敷居用発光装置を示す平面図である。
【図４】図４は図３に示されている本考案の自動車の内側ドア敷居用発光装置のA-A線に沿う構造の断面図である。
【図５】図５は図３に示される本考案の自動車の内側ドア敷居用発光装置のB-B線に沿う構造の断面図である。
【考案を実施するための形態】
【０００８】
本考案の自動車の内側ドア敷居用発光装置をより詳しく理解するため、以下、図面を用いて本考案の実施例に対して詳しく説明する。
【０００９】
まず、図１および図２は自動車の内側ドア敷居用発光装置を示す図であり、図を参照すると、該発光装置は、自動車ドアの内側ドア敷居上に取り付けられて組み込まれる内側ドア敷居本体１０と、少なくとも１つの導光棒２０と、発光素子３０とを含む。
【００１０】
前記内側ドア敷居本体１０の異なる箇所には、透光カバー１０１とランプカバー１０２とを有し、透光カバー１０１とランプカバー１０２とがいずれも透光可能な材料から製造される。
【００１１】
前記導光棒２０は、該内側ドア敷居本体１０内、かつ該透光カバー１０１を通過する位置に設けられ、該導光棒２０は第１端部２０１と第２端部２０２とを有し、第１端部２０１は該ランプカバー１０２に応じる位置に固定されており、第１端部２０１の端面は該ランプカバー１０２に向かい、かつ該第１端部２０１には散光体４０が更に内蔵されている。本考案の導光棒２０は、折曲げで撓み変形可能な棒状物、または固定形状を有する棒状物であってもよい。
【００１２】
前記発光素子３０としては、発光ダイオードまたはランプを選択して使用することができ、発光素子３０は該導光棒２０の第２端部２０２に設けられるとともに、スリーブジョイント３０１により該導光棒２０の第２端部２０２に固接される。該発光素子３０は、電源コード３０２を介して、電池ケース、電源供給装置または自動車の給電システムに電気的に接続されることで、光源に必要な電力を得ることができる。
上記の構成によれば、内側ドア敷居本体１０は発光素子３０を介して導光棒２０と結合し、導光棒２０によって電源を伝送することにより、透光カバー１０１とランプカバー１０２とからそれぞれ異なるタイプの２種類の光源を生じさせることができる（図３を参照）。
【００１３】
図４は、透光カバー１０１を通過して装飾用光源を生じることを示す図である。図１および図４に示すように、本考案の発光装置は、自動車ドア敷居５０の内側に取り付けられ、防水部５２によって外側ドア敷居５１と左右に仕切られることにより、本考案の発光装置は、車両ドアの開閉の際に車両ドアに遮蔽されないようになっている。図に示されたように、内側ドア敷居本体１０内に設けられている導光棒２０が透光カバーを通過するため、発光素子３０により生じる色光は、導光棒２０の伝送により発光ランプチューブを形成し、かつ透光カバー１０１を介して柔らかい光源になって、車室内のデザイン性を向上させる。
【００１４】
図５は、本考案におけるランプカバー１０２を通過して照明用光源を生じることを示す図である。図１および図５に示すように、導光棒２０の第１端部２０１は散光体４０を内蔵しているとともに光源をランプカバー１０２に照射する位置に固定されているため、発光素子３０により生じる色光は、導光棒２０の第２端部２０２を通じて第１端部２０１の端面に伝送し、かつランプカバー１０２を介して照明用光源を照射し、車室内の床面５３を明るくすることができる。
【００１５】
上述により、本考案は、自動車の内側のドア敷居上に取り付け可能で、発光素子３０を介して導光棒２０と結合した後に、内側ドア敷居本体１０上において、透光カバー１０１から柔らかい光源を送り出し、ランプカバー１０２を介して照明用光源を送り出すことができる。つまり、本考案は装飾用光源と照明用光源を同時に提供することができる発光装置である。
【００１６】
上述した実施例は、本考案の好ましい実施例であり、本考案に何らの制限を加わるものではない。よって、本考案の実用新案登録請求の範囲および明細書に記載された内容に基づいて行った等価の変更や修正に関する全ては、本考案の実用新案登録請求の範囲内に含まれる。
【符号の説明】
【００１７】
１０ 内側ドア敷居本体
１０１ 透光カバー
１０２ ランプカバー
２０ 導光棒
２０１ 第１端部
２０２ 第２端部
３０ 発光素子
３０１ スリーブジョイント
３０２ 電源コード
４０ 散光体
５０ 自動車ドア敷居
５１ 外側ドア敷居
５２ 防水棒
５３ 車室内床面
【図１】
0003179311.tif 000003
【図２】
0003179311.tif 000004
【図３】
0003179311.tif 000005
【図４】
0003179311.tif 000006
【図５】
0003179311.tif 000007